(57)【要約】  本発明は、音声出力処理を含む処理を実行する、例えば携帯電話機等の携帯端末に関し、携帯性と音質の向上とを両立させる。収納ボックス２１と移動ボックス２２とからなるスピーカ２０を備え、移動ボックス２２は収納ボックス２１に収納された収納位置と携帯電話機１０から突出した突出位置との間で移動し、突出位置に移動したときに移動ボックス２２の内部空間と収納ボックスの収納空間とを合わせたものを１つの共鳴箱として作用させる。【特許請求の範囲】
【請求項１】
音声出力処理を含む処理を実行する携帯端末において、
音声を発するスピーカと、
一部分が少なくとも２つの位置あるいは姿勢への移動が自在であって前記スピーカの共鳴箱として作用するスピーカボックスとを備え、
前記スピーカボックスが、前記一部分の移動に応じて容積を変化させるものであることを特徴とする携帯端末。
【請求項２】
前記スピーカボックスが、この携帯端末内部に収納空間を形成する収納空間形成部と、該収納空間に収納された収納位置とこの携帯端末から突出した突出位置との間で移動自在であって、内部空間を有するとともに、該突出位置に移動したときに該内部空間と前記収納空間を連通させる開口が形成された移動ボックスとからなることを特徴とする請求項１記載の携帯端末。
【請求項３】
前記移動ボックスが、外部に音声を放つ前方向に対する横方向に突出するものであることを特徴とする請求項２記載の携帯端末。
【請求項４】
前記移動ボックスを２つ備え、各移動ボックスが左右に分かれて突出するものであることを特徴とする請求項３記載の携帯端末。
【請求項５】
前記移動ボックスが、外部に音声を放つ前方向に突出するものであることを特徴とする請求項２記載の携帯端末。
【請求項６】
前記移動ボックスが、スライドにより前記収納位置と前記突出位置との間を移動するものであることを特徴とする請求項２記載の携帯端末。
【請求項７】
前記移動ボックスが、回動により前記収納位置と前記突出位置との間を移動するものであることを特徴とする請求項２記載の携帯端末。
【請求項８】
前記移動ボックスが、外部に音声を放つ第１の放音部を有するとともに、前記収納空間形成部も、外部に音声を放つ第２の放音部を有することを特徴とする請求項２記載の携帯端末。
【発明の詳細な説明】
【技術分野】
【０００１】
本発明は、音声出力処理を含む処理を実行する、例えば携帯電話機等の携帯端末に関する。
【背景技術】
【０００２】
従来より携帯電話機にはスピーカが備えられており、携帯電話機では、スピーカから音声を出力すべく音声出力処理が行なわれている。【０００３】
携帯電話機は携帯性が重視されることから小型に構成され、スピーカも小型のものが内蔵されている。通常スピーカはスピーカボックスを備えることにより特に低音の音質が改善されるが、携帯電話機の内部に広いスピーカボックスを構成するほどのスペースを確保することは困難である。【０００４】
携帯性と音質の向上とを両立させる１つの手段として、機器内に２つのスピーカを備え、スピーカ使用時にはそれら２つのスピーカをその機器の左右に突出させスピーカどうしの距離を離してステレオ効果を高めるとともに、非使用時にはそれらのスピーカを機器内に収納することにより携帯性を向上させる技術が提案されている（特許文献１〜３参照）。
【特許文献１】特開平９−１２０３５４号公報
【特許文献２】特開２００２−３５９８９０号公報
【特許文献３】登録実用新案第３０４４３４０号公報
【発明の開示】
【発明が解決しようとする課題】
【０００５】
しかしながら、上記特許文献１〜３に提案された技術はステレオ効果の改善を図ることはできるものの、発せられる音声自体の音質の向上が図られるものではない。【０００６】
本発明は、上記事情に鑑み、携帯性と音質の向上とを両立させた携帯端末を提供することを目的とする。
【課題を解決するための手段】
【０００７】
上記目的を達成する本発明の携帯端末は、音声出力処理を含む処理を実行する携帯端末であって、
音声を発するスピーカと、
一部分が少なくとも２つの位置あるいは姿勢への移動が自在であってスピーカの共鳴箱として作用するスピーカボックスとを備え、
上記スピーカボックスが、上記一部分の移動に応じて容積を変化させるものであることを特徴とする。【０００８】
本発明の携帯端末は、一部分が移動するスピーカボックスを備えその移動により容積を変化させるものであるため、そのスピーカボックスの容積を広げた状態で音を発することにより高質の優れた音声を出力することができる。【０００９】
ここで本発明の携帯端末は、具体的には例えば、上記スピーカボックスが、この携帯端末内部に収納空間を形成する収納空間形成部と、その収納空間に収納された収納位置とこの携帯端末から突出した突出位置との間で移動自在であって、内部空間を有するとともに、突出位置に移動したときに内部空間と上記収納空間を連通させる開口が形成された移動ボックスとからなるものであってもよい。【００１０】
この場合に、移動ボックスが、外部に音声を放つ前方向に対する横方向に突出するものであってもよく、あるいは、上記移動ボックスが、外部に音声を放つ前方向に突出するものであってもよい。【００１１】
ここで、移動ボックスが横方向に突出する構成の場合に、その移動ボックスを２つ備え、各移動ボックスが左右に分かれて突出するものであってもよい。【００１２】
また、上記移動ボックスが、スライドにより収納位置と突出位置との間を移動するものであってもよく、あるいは、上記移動ボックスが、回動により収納位置と突出位置との間を移動するものであってもよい。【００１３】
上記のような移動ボックスを備えると、その移動ボックスを突出位置に移動させたときにその移動ボックスが収納されていた収納空間とその移動ボックスの内部空間との双方に広がる空間が形成される。したがって移動ボックスを突出位置に移動させた状態で音声を発すると広い空間が共鳴箱として利用され、高音質の音声となる。【００１４】
また、上記本発明の携帯端末において、上記移動ボックスが、外部に音声を放つ第１の放音部を有するとともに、収納空間形成部も、外部に音声を放つ第２の放音部を有することが好ましい。【００１５】
このように構成すると、移動ボックスを突出位置に移動させて高音質の音声を得ることができるとともに、移動ボックスを収納位置に置いたままであっても、音質は犠牲になるものの発音することができる。
【発明の効果】
【００１６】
以上、説明したように、本発明によれば、携帯性と音質の向上との両立が図られる。
【図面の簡単な説明】
【００１７】
【図１】本発明の携帯機器の一例である携帯電話の第１実施形態の正面図である。
【図２】図１に示す携帯電話機に内蔵されたスピーカボックスを示す図である。
【図３】図１に示す携帯電話機に内蔵されたスピーカボックスを示す図である。
【図４】スピーカボックスの構造を示す模式図である。
【図５】図４に示す矢印Ａ−Ａに沿う断面図である。
【図６】本発明の第２実施形態における、スピーカボックスの部分の概要を示す正面図である。
【図７】本発明の第３実施形態におけるスピーカボックスの部分の概要を示す正面図である。
【図８】本発明の第４実施形態の携帯電話機の正面図である。
【図９】本発明の第４実施形態の携帯電話機の側面図である。
【発明を実施するための最良の形態】
【００１８】
以下本発明の実施の形態について説明する。【００１９】
図１は本発明の携帯機器の一例である携帯電話の第１実施形態の正面図である。【００２０】
この携帯電話機１０は、下部筐体１１と上部筐体１２とを有し下部筐体１１と上部筐体１２は互いにヒンジ接続され開閉自在に回動する構造となっている。下部筐体１１の前面には、各種の操作ボタンや内蔵された小型のマイクロホンにつながる通話口等が備えられているが、ここでの主題ではないため図示および詳細説明は省略する。【００２１】
また、上部筐体１２の前面には、表示画面１２１、および内蔵スピーカ（後述する）からの音声を外部に出力する、多数の細かい孔からなるメッシュ状の音声部１２２を有する。【００２２】
この携帯電話機１０では、無線通信を介在させた電話の送受信、表示画面１２１への画像表示、電話の受信に伴う、内蔵スピーカ（後述する）からの音声の発音処理等の各種処理が実行される。これらの処理自体は広く知られた技術であり、本発明の課題から外れるので、ここでの詳細説明は省略する。【００２３】
図２，図３は、図１に示す携帯電話機に内蔵されたスピーカボックスを示す図であり、図２は、そのスピーカボックスを構成する移動ボックスが、携帯電話機の内部に固定された、やはりそのスピーカボックスを構成する収納ボックス内に収納されている状態を示し、図３は移動ボックスが携帯電話機から突出した状態を示している。【００２４】
図２，図３に示すように、この携帯電話機１０には２つのスピーカボックス２０が備えられており、これらのスピーカボックス２０を構成する２つの移動ボックス２２は、２つの収納ボックス２１のそれぞれから左右に分かれて突出する構造となっている。【００２５】
図４は、スピーカボックスの構造を示す模式図、図５は、図４に示す矢印Ａ−Ａに沿う断面図である。【００２６】
図４，図５は、図２，図３に示す２つのスピーカボックスのうちの一方（図２，図３の左側）のスピーカボックスを示している。ただしもう一方のスピーカボックスも左右が反転している点を除き同一の構造を有している。【００２７】
このスピーカボックス２０は、収納ボックス２１と移動ボックス２２とから構成され、移動ボックス２２の内部には薄板状のスピーカ２３が固定されている。本実施形態ではこの薄板状のスピーカ２３は、圧電素子を用いて構成されたスピーカであるが、スピーカの構造自体はどのようなものであってもよく、電気信号に応じて音声を発生することができる発音体であればよい。【００２８】
移動ボックス２２は、爪掛け部２２ａに指の爪を掛けて収納ボックス２１から外に引き出すことにより携帯電話機１０から突出した突出位置と、その移動ボックス２２を指で押すことにより収納ボックス２１内に収納させた収納位置との間でスライドし、移動ボックス２２が突出位置まで引き出されると、図５に示す移動ボックス２２に設けられた突起部２２１が収納ボックス２１の出口側の凹部２１１に嵌入してクリック感が得られ、移動ボックス２２はその位置で固定される。一方、移動ボックス２２が収納ボックス２１に収納された収納位置では、移動ボックス２２の突出部２２１が収納ボックス２１の奥側の凹部２１２に嵌入しその収納位置から不用意に移動することが防止される。【００２９】
また移動ボックス２１の前面には、その内部のスピーカ２３から発せられた音声を外部に出力するための発音口２２２が形成され、また、その移動ボックス２２の、収納ボックス２１側には全面に広がる開口２２３が形成されている。この開口２２３が形成されていることにより、移動ボックス２２が図４，図５に示す突出位置に引き出されているときには、その移動ボックス２２の内部空間２２４と、収納ボックス２１の移動ボックス２２を収納するための収納空間２２５が１つに繋がり、大きな共鳴箱として作用し、スピーカ２３から発せられた音の、特に低音域が改善され、音質が向上する。【００３０】
また、収納ボックス２１の前面には、多数の細かい孔がメッシュ状に形成された放音部２１４が形成されている。この放音部２１４は、収納ボックス２１に収納された状態の移動ボックス２２の発音口２２２、および図１に示す、携帯電話機１０の上部筐体１２に設けられた放音部１２２と連通しており、したがってこの実施形態の携帯電話機１０では、移動ボックス２２が収納ボックス２１に収納された収納位置にあるときであっても、スピーカ２３から音声を発し外部に出力することができる。ただしこの場合は、移動ボックス２２が突出位置まで引き出されているときと比べ音質が犠牲となる。【００３１】
尚、以上に説明した第１実施形態では、図１に示すように、放音部１２２は表示画面１２１の下部に設けられているが、これらの配置を逆にし、表示画面１２１の上部に放音部１２２を設けてもよい。その場合は、図２，図３等に示すスピーカボックス２０もそれに伴ってその放音部に対応した上部位置に配置される。【００３２】
図６は、本発明の第２実施形態における、スピーカボックスの部分の概要を示す正面図である。【００３３】
尚、この図６において、前述した第１実施形態の説明に用いた各図（図１〜図５）の構成要素と同様の作用を成す構成要素には、多少の構造や形状の相違を越えて同一の符号を付して示し、第１実施形態との相違点について説明する。後述する各種実施形態を表わす図面および各種実施形態の説明においても同様である。【００３４】
図６に示す携帯電話機１０には、２つの移動ボックス２２とそれら２つの移動ボックス２２の双方を収納する１つの収納ボックス２１が備えられている。収納ボックス２１は、携帯電話機１０の収納ボックス２１に内蔵されており、２つの移動ボックス２２は、各回動軸２４により、収納ボックス２１にそれぞれ回動自在に軸支され、それらの移動ボックス２２は、各回動軸２４を中心に、収納ボックス２１に収納された収納位置と、２つの移動ボックス２２が左右に分かれてこの携帯電話機１０から突出した突出位置との間で回動する。ここで、図６には、収納位置にある移動ボックスと突出位置にある移動ボックスが二重に描かれている。【００３５】
収納ボックス２１の側面２１５には、移動ボックス２２が出入りする開口が設けられており、移動ボックス２２が回動して突出位置に移動したときには、その側面２１５の開口の、突出位置にある移動ボックスによっては塞がれない上半分を塞ぐ必要がある。そこでこの実施形態では、図６に示すように、収納ボックス２１の内部空間上部に、移動ボックス２２が突出位置にあるときの収納ボックス２１の側面２１５の開口の上半分を塞ぐシャッタ板２２６が備えられている。このシャッタ板２２６は回動軸２２７によりこの携帯電話機１０の上部筐体１２に回動自在に軸支されるとともに、バネ２２８により、収納ボックス２１の側面２１５の開口を閉じる方向にバネ付勢されている。ここで、収納ボックス２１の上面にはバネ挿通用の小さな開口が形成されており、バネ２２８はその開口に挿通されてシャッタ板２２６を押す構造となっている。したがって、移動ボックス２２が突出位置に回動すると、シャッタ板２２６はバネ２２８に押されて収納ボックス２１の側面２２５の開口の、移動ボックス２２によっては塞がれない上半分を閉鎖し、その移動ボックス２２が収納位置に回動すると、シャッタ２２６は、その移動ボックス２２に押されてその移動ボックス２２の上部に倒れた状態となる。【００３６】
ここで、移動ボックス２２の、突出位置にあるときの側面２２５（収納位置にあるときの底面）には、その移動ボックス２２の内部空間と収納ボックス２１の収納空間とを繋ぐ開口が形成されており、移動ボックス２２が突出位置にあるときは、それら２つの移動ボックス２２と１つの収納ボックス２１とで１つの大きな共鳴箱が形成される。共鳴箱の役割りは主として低音域の音質改善であり、低音域の音は比較的音の方向性がないため１つの音響箱であっても音質改善が図られる。【００３７】
２つの移動ボックス２２それぞれの内部に薄板状のスピーカが備えられている点、２つの移動ボックス２２の前面に発音口２２２が備えられている点、収納ボックス２１に放音部２１４（図４，図５参照）が設けられている点等は、前述の第１実施形態の場合と同様である。【００３８】
図７は、本発明の第３実施形態におけるスピーカボックスの部分の概要を示す正面図である。【００３９】
本実施形態では、スピーカボックスは、携帯電話機１０の上部筐体１２の最上部に備えられている。このスピーカボックスは、２つの移動ボックスと、それら２つの移動ボックス２２を収納する収納空間を有する１つの収納ボックス２１とを有する。この図７においても、移動ボックス２２は、収納位置にあるときと突出位置にあるときの二重に描かれている。【００４０】
収納ボックス２１の上面全面は開口しており、移動ボックス２２が収納ボックス２１に収納された収納位置にあるときは２つの移動ボックス２２の上面がこの携帯電話１０の上面となっている。これら２つの移動ボックス２２は、相互に固定されており、図示しないポップアップ機構により上方に突出する。それら２つの移動ボックス２２の下面には、突出位置にあるときにその移動ボックス２２の内部空間と収納ボックス２１の収納空間をつなぐ開口を有し、突出位置にあるときは、２つの移動ボックス２２の内部空間と１つの収納ボックス２１の収納空間とで１つの共鳴箱が構成される。【００４１】
２つの移動ボックス２２それぞれの内部には薄板状のスピーカが配備されており、移動ボックスの前面には発音口２２２を有する。また、収納ボックス２１には、収納位置にある移動ボックス２２内のスピーカから発せられる音声を外部に出力するための放音部２１４が設けられている。【００４２】
尚、この第３実施形態では、一応のステレオ効果も狙い２つの移動ボックス２２を備えているが、ステレオ効果は不要とし、移動ボックスを１つのみとしてもよい。【００４３】
図８，図９は、本発明の第４実施形態の携帯電話機の正面図および側面図である。【００４４】
これらの図８，図９に示す第４実施形態の携帯電話機１０は、これまでの第１〜第３実施形態の携帯電話機と同様、互いにヒンジで接続されて開閉する下部筐体１１と上部筐体１２とからなり（図９参照）、閉じた状態の上部筐体１２の背面から音声が出力される構成となっている。【００４５】
スピーカボックス２０は、携帯電話機１０の上部筐体１２に埋め込まれた収納ボックス２１と、その収納ボックス２１に収納された収納位置とその収納ボックス２１から前方に引き出された突出位置との間でスライド移動する移動ボックス２２とから構成されている。この移動ボックス２２は、その移動ボックス２２の周囲の鍔２２７に指の爪を掛けて引き出される。移動ボックス２２の突出方向前面には発音口２２２が設けられており、移動ボックス２２の、収納ボックス２１側の面は全面が開口している。この第４実施形態では、スピーカ２１は、収納ボックス２１内に配備されていて、移動ボックス２２の移動によってはその位置は不変である。この第４実施形態においても、移動ボックス２２を突出させることにより共鳴箱が広がり、音質が向上する。【００４６】
この第４実施形態では、移動ボックス２２はユーザが引き出すように構成されているが、スピーカ２３から音声を出力するタイミングで自動的に突出するように構成してもよい。【００４７】
尚、以上の各実施形態はスピーカボックスは収納ボックスと移動ボックスとから構成されるものとして説明したが、収納ボックスは必ずしも必要ではなく、１つあるいはいくつかの部品で取り囲まれた収納空間を利用するものであってもよい。【００４８】
また、以上の各実施形態は、本発明を携帯電話機に実装した例であるが、この携帯電話機は通信方式の如何を問うものではなく、ＰＨＳ（Ｐｅｒｓｏｎａｌ  Ｈａｎｄｙ  Ｐｈｏｎｅ）を含むどのような通信方式のものであってもよい。【００４９】
また、以上の各実施形態は、本発明を折り畳み式の携帯電話機に適用した例であるが、本発明は折り畳み式以外のタイプの携帯電話機、例えば板状のフラットなタイプの携帯電話機にも適用可能である。【００５０】
さらに、本発明は、携帯電話機に実装されたものに限定されず、例えばＰＤＡ（Ｐｅｒｓｏｎａｌ  Ｄａｔａ  Ａｓｓｉｓｔａｎｔ）等、他の携帯端末にも同様に実装することができる。
【図１】
2006011219.tif 000002
【図２】
2006011219.tif 000003
【図３】
2006011219.tif 000004
【図４】
2006011219.tif 000005
【図５】
2006011219.tif 000006
【図６】
2006011219.tif 000007
【図７】
2006011219.tif 000008
【図８】
2006011219.tif 000009
【図９】
2006011219.tif 000010
【国際調査報告】
2006011219.tif 000011
2006011219.tif 000012
2006011219.tif 000013
2006011219.tif 000014